(57)【要約】【課題】理想的な笑顔となるように上唇の形状を矯正できる理想的笑顔矯正用マウスピースを提供する。【解決手段】矯正をしようとする者の上歯列に嵌まる上歯列嵌め合わせ部２と上顎に当接する上顎当接部３とを有する上顎マウスピース部４を備え、該上顎マウスピース部４の前記上歯列嵌め合わせ部２における前歯列部分嵌め合わせ部分２ａの前上部には、前記矯正をしようとする者の上唇に沿わせて嵌める上唇嵌め合わせ部５が一体に設けられ、該上唇嵌め合わせ部５の凹面５ａの形状は、前記矯正をしようとする者の上唇を理想的な上唇形状に矯正する凹面の形状になっている。【選択図】図１
2007098018.tif 000002
【特許請求の範囲】
【請求項１】
矯正をしようとする者の上歯列に嵌まる上歯列嵌め合わせ部と上顎に当接する上顎当接部とを有する上顎マウスピース部を備え、該上顎マウスピース部の前記上歯列嵌め合わせ部における前歯列部分嵌め合わせ部分の前上部には、前記矯正をしようとする者の上唇に沿わせて嵌める上唇嵌め合わせ部が一体に設けられ、該上唇嵌め合わせ部の凹面の形状は、前記矯正をしようとする者の上唇を理想的な上唇形状に矯正する凹面の形状になっていることを特徴とする理想的笑顔矯正用マウスピース。
【請求項２】
前記上顎マウスピース部と前記上唇嵌め合わせ部は、形状維持性と可撓性とがあって透明または半透明の樹脂により形成されていることを特徴とする請求項１に記載の理想的笑顔矯正用マウスピース。
【発明の詳細な説明】
【技術分野】
【０００１】
本発明は、表情筋の訓練により理想的な笑顔となるように上唇の形状を矯正する理想的笑顔矯正用マウスピースに関するものである。
【背景技術】
【０００２】
従来、口唇の微笑形状を矯正するための器具として、伸縮自在な帯状部材の両端にフック部材を取り付けた口唇微笑形状矯正具が提案されている（例えば、特許文献１参照。）。
【０００３】
この口唇微笑形状矯正具は、帯状部材の両端のフック部材をそれぞれ口の両端に引っ掛け、帯状部材を延ばして後頭部に掛けることによって、伸縮自在な帯状部材の縮む力で口唇の両端を上方に引っ張り、これを毎日１０分程度、１週間位続けることにより、口唇両端部の筋肉を訓練し、微笑をうかべると唇の両端が弓形に上方に反り返り、口唇の微笑形状を矯正しようとするものである。
【特許文献１】実開平３−４１６１３号公報（図４）
【発明の開示】
【発明が解決しようとする課題】
【０００４】
しかしながら、このような口唇微笑形状矯正具では、微笑をうかべると唇の両端が弓形に上方に反り返り、口唇の微笑形状を矯正するにとどまっており、上唇の形状を理想的な笑顔となるように矯正できるようにはなっていない。
【０００５】
本発明の目的は、理想的な笑顔となるように上唇の形状を矯正できる理想的笑顔矯正用マウスピースを提供することにある。
【課題を解決するための手段】
【０００６】
上記の目的を達成する本発明の各手段を説明すると、次のとおりである。  
請求項１に記載の理想的笑顔矯正用マウスピースは、矯正をしようとする者の上歯列に嵌まる上歯列嵌め合わせ部と上顎に当接する上顎当接部とを有する上顎マウスピース部を備え、該上顎マウスピース部の前記上歯列嵌め合わせ部における前歯列部分嵌め合わせ部分の前上部には、前記矯正をしようとする者の上唇に沿わせて嵌める上唇嵌め合わせ部が一体に設けられ、該上唇嵌め合わせ部の凹面の形状は、前記矯正をしようとする者の上唇を理想的な上唇形状に矯正する凹面の形状になっていることを特徴とする。
【０００７】
請求項２に記載の理想的笑顔矯正用マウスピースは、請求項１において、前記上顎マウスピース部と前記上唇嵌め合わせ部は、形状維持性と可撓性とがあって透明または半透明の樹脂により形成されていることを特徴とする。
【発明の効果】
【０００８】
請求項１に記載の理想的笑顔矯正用マウスピースは、上顎マウスピース部の上歯列嵌め合わせ部における前歯列部分嵌め合わせ部分の前上部には矯正をしようとする者の上唇に添わせて嵌める上唇嵌め合わせ部を一体に設け、該上唇嵌め合わせ部の凹面の形状は矯正をしようとする者の上唇を理想的な上唇形状に矯正する凹面の形状になっているので、このような理想的笑顔矯正用マウスピースの上顎マウスピース部を口の中に嵌め且つ上唇嵌め合わせ部を上唇に嵌めて装着した訓練を継続して行うことにより、上唇嵌め合わせ部の凹面に上唇が載って持ち上げられ、上唇に関連した部分の表情筋が矯正され、上唇を、矯正をしようとする者の理想的な上唇形状に矯正することができる。またこのマウスピースは、上顎マウスピース部を有して口に嵌めて噛むので、笑顔の訓練時に外れにくくマウスピースの姿勢を安定させることができる。
【０００９】
請求項２に記載の理想的笑顔矯正用マウスピースでは、上顎マウスピース部と上唇嵌め合わせ部が形状維持性と可撓性とがある樹脂により形成されているので、矯正をしようとする者が装着したときに、マウスピースの形状が維持される一方で、口に対してやさしく、痛みも少ないため、笑顔矯正用として比較的長い時間使用できる。また、上顎マウスピース部と上唇嵌め合わせ部が透明または半透明の樹脂により形成されているので、矯正をしようとする者が装着しても、不自然にならない利点がある。
【発明を実施するための最良の形態】
【００１０】
以下、本発明に係る理想的笑顔矯正用マウスピースを実施するための最良の形態を図面を参照して詳細に説明する。  
図１乃至図４は本発明に係る理想的笑顔矯正用マウスピースの実施の形態の一例を示したもので、図１（Ａ）は本例の理想的笑顔矯正用マウスピースの正面図、図１（Ｂ）は図１（Ａ）のＸ−Ｘ線切断端面図、図２は図１（Ａ）の右側面図、図３は図１（Ａ）の平面図である。
【００１１】
本例の理想的笑顔矯正用マウスピース１は、矯正をしようとする者の上歯列に嵌まる上歯列嵌め合わせ部２と上顎に当接する上顎当接部３とを有する上顎マウスピース部４を有している。前記上顎マウスピース部４の前記上歯列嵌め合わせ部２における、上歯列の前歯部分に嵌まる前歯列部分嵌め合わせ部分２ａの前上部には、矯正をしようとする者の上唇に添わせて嵌める上唇嵌め合わせ部５が一体に設けられている。
【００１２】
前記上顎マウスピース部４と前記上唇嵌め合わせ部５とからなる本例の理想的笑顔矯正用マウスピース１は、マウスピース基材６により形成されている。このマウスピース基材６は、形状維持性と可撓性とがあって透明または半透明の樹脂からなる薄肉の板状素材で形成されている。形状維持性と可撓性とがあって透明または半透明の樹脂としては、例えばポリメタクリル酸メチル（ＰＭＭＡ）やポリエチレン（ＰＥ）等の樹脂、その他の安全で快適さを備えた材質のものを用いる。
【００１３】
前記上顎マウスピース部４の上歯列嵌め合わせ部２は、図１乃至図３に示すように、前面が上歯列の各歯の形に応じた凸型となっており、また図３に示すように、内部が各歯が嵌まる凹形となっている。
【００１４】
前記上唇嵌め合わせ部５は、凹面５ａにおいて、矯正をしようとする者の上唇に沿わせて嵌められるようになっており、この凹面５ａの形状は、矯正をしようとする者の上唇を理想的な上唇形状に矯正する凹面の形状になっている。
【００１５】
本例の理想的笑顔矯正用マウスピース１は、前記上顎マウスピース部４の上歯列嵌め合わせ部２における前歯列部分嵌め合わせ部分２ａの前上部には、矯正をしようとする者の上唇に添わせて嵌める前記上唇嵌め合わせ部５が一体に設けられ、この上唇嵌め合わせ部５の凹面５ａの形状は、矯正をしようとする者の上唇を理想的な上唇形状に矯正する凹面の形状になっているので、前記理想的笑顔矯正用マウスピース１の上顎マウスピース部４を口の中に嵌め且つ前記上唇嵌め合わせ部５を上唇に嵌めて装着した訓練を継続して行うことにより、前記上唇嵌め合わせ部５の凹面５ａに上唇が載って持ち上げられ、上唇に関連した部分の表情筋が矯正され、上唇を、矯正をしようとする者の理想的な上唇形状に矯正することができる。そして、矯正をしようとする者の理想的な上唇形状として、前記上唇嵌め合わせ部５の凹面５ａの形状を、たとえば参考にしたい俳優や有名人が写った写真やポスター等を基にして、その人の笑顔の状態における上唇形状にすれば、誰でも簡単に好きな俳優や有名人の笑顔のように矯正することができる。
【００１６】
また、本例の理想的笑顔矯正用マウスピース１は、前記上顎マウスピース部４を有し、これを口に嵌めて噛むので、笑顔の訓練時に外れにくくマウスピースの姿勢を安定させることができる。
【００１７】
また、本例の理想的笑顔矯正用マウスピース１では、前記上顎マウスピース部４と前記上唇嵌め合わせ部５が形状維持性と可撓性とがある樹脂により形成されているので、矯正をしようとする者が装着したときに、前記理想的笑顔矯正用マウスピース１の形状が維持される一方で、口に対してやさしく、痛みも少ないため、笑顔矯正用として比較的長い時間使用できる。
【００１８】
また、本例の理想的笑顔矯正用マウスピース１では、前記上顎マウスピース部４と上唇嵌め合わせ部５が、透明または半透明の前記マウスピース基材６で形成されているので、装着時に不自然な感じにはならず、また前記マウスピース基材６は、薄肉の板状素材からなるので、装着時に口が半開きになるといった不自然な感じにもならない。このように前記理想的笑顔矯正用マウスピース１を装着しても、不自然な感じにはならないので、日常生活の中で使用して笑顔の矯正を行うことができる。
【図面の簡単な説明】
【００１９】
【図１】（Ａ）は本発明に係る理想的笑顔矯正用マウスピースの実施の形態の一例の正面図、（Ｂ）は図１（Ａ）のＸ−Ｘ線切断端面図。
【図２】図１（Ａ）の右側面図。
【図３】図１（Ａ）の平面図。
【符号の説明】
【００２０】
１  理想的笑顔矯正用マウスピース
２  上歯列嵌め合わせ部
２ａ  前歯列部分嵌め合わせ部分
３  上顎当接部
４  上顎マウスピース部
５  上唇嵌め合わせ部
５ａ  凹面
６  マウスピース基材
【図１】
2007098018.tif 000003
【図２】
2007098018.tif 000004
【図３】
2007098018.tif 000005
【手続補正書】
【提出日】平成17年12月6日(2005.12.6)
【手続補正１】
【補正対象書類名】明細書
【補正対象項目名】００１５
【補正方法】変更
【補正の内容】
【００１５】
本例の理想的笑顔矯正用マウスピース１は、前記上顎マウスピース部４の上歯列嵌め合わせ部２における前歯列部分嵌め合わせ部分２ａの前上部には、矯正をしようとする者の上唇に添わせて嵌める前記上唇嵌め合わせ部５が一体に設けられ、この上唇嵌め合わせ部５の凹面５ａの形状は、矯正をしようとする者の上唇を理想的な上唇形状に矯正する凹面の形状になっているので、前記理想的笑顔矯正用マウスピース１の上顎マウスピース部４を口の中に嵌め且つ前記上唇嵌め合わせ部５を上唇に嵌めて装着した訓練を継続して行うことにより、前記上唇嵌め合わせ部５の凹面５ａに上唇が載って持ち上げられ、上唇に関連した部分の表情筋が矯正され、上唇を、矯正をしようとする者の理想的な上唇形状に矯正することができる。そして、矯正をしようとする者の理想的な上唇形状として、前記上唇嵌め合わせ部５の凹面５ａの形状を、たとえば参考にしたい俳優や有名人が写った写真やポスター等を基にして、その人の笑顔の状態における上唇形状にすれば、好きな俳優や有名人の笑顔のように矯正することができる。